【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  画像データ配布装置と管理サーバと特定の画像形成装置とが互いに通信可能に接続されてなる画像配布システムであって、
前記画像データ配布装置は、
暗号化された第１の画像データを格納したコンピュータ読み取り可能な記録媒体から前記第１の画像データにかかる画像情報を読み取る画像情報読取手段と、
前記画像情報を表示する画像情報表示手段と、
出力する画像データの選択の入力を受け付ける画像データ選択手段と、
選択の入力を受け付けた画像データの出力要求を前記管理サーバに送信する画像データ出力要求送信手段と、
前記選択の入力を受け付けた画像データの出力許否通知を前記管理サーバから受信する画像データ出力許否通知受信手段と、
前記選択の入力を受け付けた画像データの出力が許可された場合に画像データの出力先装置が前記特定の画像形成装置であるか否かを判別する出力先装置判別手段と、
前記画像データの出力先装置が前記特定の画像形成装置である場合に前記第１の画像データのうち前記選択の入力を受け付けた画像データを復号化して第２の画像データを取得する画像データ復号化手段と、
前記特定の画像形成装置に前記第２の画像データを送信する画像データ送信手段とを有し、
前記管理サーバは、
前記選択の入力を受け付けた画像データの出力要求を前記画像データ配布装置から受信する画像データ出力要求受信手段と、
前記選択の入力を受け付けた画像データの出力の許否を判別する画像データ出力許否判別手段と、
前記選択の入力を受け付けた画像データの出力許否通知を前記画像データ配布装置に送信する画像データ出力許否通知送信手段とを有する、
ことを特徴とする画像配布システム。
【請求項２】  前記画像データ配布装置は、
第１の暗証コードを暗号化して得られた認証コードの入力を受け付ける認証コード入力手段と、
前記認証コードを前記管理サーバに送信する第１の認証コード送信手段と、
前記第１の暗証コードを前記管理サーバから受信する第１の暗証コード受信手段と、
前記認証コードを前記画像データの出力先装置に送信する第２の認証コード送信手段と、
第２の暗証コードを前記画像データの出力先装置から受信する第２の暗証コード受信手段とをさらに有し、
前記管理サーバは、
前記認証コードを前記画像データ配布装置から受信する第１の認証コード受信手段と、
前記認証コードに基づいてユーザ認証を行うユーザ認証手段と、
前記ユーザ認証においてユーザを認証した場合に、前記認証コードを復号化して前記第１の暗証コードを取得する第１の認証コード復号化手段と、
前記第１の暗証コードを前記画像データ配布装置に送信する第１の暗証コード送信装置とをさらに有し、
前記特定の画像形成装置は、
前記認証コードを前記画像データ配布装置から受信する第２の認証コード受信手段と、
前記認証コードを復号化して前記第１の暗証コードを取得する第２の認証コード復号化手段と、
前記第１の暗証コードを前記画像データ配布装置に送信する第２の暗証コード送信手段とを有し、
前記画像データ配布装置の前記出力先装置判別手段は、前記第１の暗証コードと前記第２の暗証コードが同一であるか否かにより前記画像データの出力先装置が前記特定の画像形成装置であるか否かを判別することを特徴とする請求項１に記載の画像配布システム。
【請求項３】  前記特定の画像形成装置は、
前記第２の画像データの画像形成結果を前記画像データ配布装置に送信する第１の画像形成結果送信手段をさらに有し、
前記画像データ配布装置は、
前記画像形成結果を前記特定の画像形成装置から受信する第１の画像形成結果受信手段と、
前記画像形成結果を前記管理サーバに送信する第２の画像形成結果送信手段をさらに有し、
前記管理サーバは、
前記画像形成結果を前記画像データ配布装置から受信する第２の画像形成結果受信手段と、
前記特定の画像形成装置が前記第２の画像データを正常に画像形成した場合に、前記認証コードに代えて前記認証コードにかかるユーザの新しい認証コードを発行する認証コード発行手段をさらに有することを特徴とする、
請求項１または２に記載の画像配布システム。
【請求項４】  暗号化された第１の画像データを格納したコンピュータ読み取り可能な記録媒体から前記第１の画像データにかかる画像情報を読み取る画像情報読取手段と、
前記画像情報を表示する画像情報表示手段と、
出力する画像データの選択の入力を受け付ける画像データ選択手段と、
選択の入力を受け付けた画像データの出力要求を管理サーバに送信する画像データ出力要求送信手段と、
前記選択の入力を受け付けた画像データの出力許否通知を前記管理サーバから受信する画像データ出力許否通知受信手段と、
前記選択の入力を受け付けた画像データの出力が許可された場合に画像データの出力先装置が特定の画像形成装置であるか否かを判別する出力先装置判別手段と、
前記画像データの出力先装置が前記特定の画像形成装置である場合に前記第１の画像データのうち前記選択の入力を受け付けた画像データを復号化して第２の画像データを取得する画像データ復号化手段と、
前記特定の画像形成装置に前記第２の画像データを送信する画像データ送信手段と、
を有することを特徴とする画像データ配布装置。
【請求項５】  暗号化された第１の画像データを格納したコンピュータ読み取り可能な記録媒体から前記第１の画像データにかかる画像情報を読み取る段階（１）と、
前記画像情報を表示し、出力する画像データの選択の入力を受け付ける段階（２）と、
選択の入力を受け付けた画像データの出力の許否を判別する段階（３）と、
前記選択の入力を受け付けた画像データの出力を許可する場合に画像データの出力先装置が特定の画像形成装置であるか否かを判別する段階（４）と、
前記画像データの出力先装置が前記特定の画像形成装置である場合に前記第１の画像データのうち前記選択の入力を受け付けた画像データを復号化して第２の画像データを取得する段階（５）と、
前記特定の画像形成装置に前記第２の画像データを送信する段階（６）と、
を有することを特徴とする画像配布方法。
【請求項６】  第１の暗証コードを暗号化して得られた認証コードの入力を受け付ける段階（７）と、
前記認証コードに基づいてユーザ認証を行う段階（８）と、
前記ユーザ認証においてユーザを認証した場合に、前記認証コードを復号化して前記第１の暗証コードを取得する段階（９）と、
前記認証コードを前記画像データの出力先装置に送信する段階（１０）と、
第２の暗証コードを前記画像データの出力先装置から受信する段階（１１）とをさらに有し、
段階（４）は、前記第１の暗証コードと前記第２の暗証コードが同一であるか否かにより前記画像データの出力先装置が前記特定の画像形成装置であるか否かを判別する、
ことを特徴とする請求項５に記載の画像配布方法。
【請求項７】  前記特定の画像形成装置が前記第２の画像データを正常に画像形成した場合に、前記認証コードに代えて前記認証コードにかかるユーザの新しい認証コードを発行する段階（１２）をさらに有することを特徴とする、
請求項５または６に記載の画像配布方法。
【請求項８】  暗号化された第１の画像データを格納したコンピュータ読み取り可能な記録媒体から前記第１の画像データにかかる画像情報を読み取る手順（１）と、
前記画像情報を表示する手順（２）と、
出力する画像データの選択の入力を受け付ける手順（３）と、
選択の入力を受け付けた画像データの出力要求を管理サーバに送信する手順（４）と、
前記選択の入力を受け付けた画像データの出力許否通知を前記管理サーバから受信する手順（５）と、
前記選択の入力を受け付けた画像データの出力が許可された場合に画像データの出力先装置が特定の画像形成装置であるか否かを判別する手順（６）と、
前記画像データの出力先装置が前記特定の画像形成装置である場合に前記第１の画像データのうち前記選択の入力を受け付けた画像データを復号化して第２の画像データを取得する手順（７）と、
前記特定の画像形成装置に前記第２の画像データを送信する手順（８）と、
を画像データ配布装置に実行させることを特徴とする画像配布プログラム。
【請求項９】  請求項８に記載のプログラムを記録したコンピュータ読み取り可能な記録媒体。
【請求項１０】  第１の暗証コードを暗号化して得られた認証コードの入力を受け付ける認証コード入力手段と、
前記認証コードを前記管理サーバに送信する第１の認証コード送信手段と、
前記第１の暗証コードを前記管理サーバから受信する第１の暗証コード受信手段と、
前記認証コードを前記画像データの出力先装置に送信する第２の認証コード送信手段と、
第２の暗証コードを前記画像データの出力先装置から受信する第２の暗証コード受信手段とをさらに有し、
前記出力先装置判別手段は、前記第１の暗証コードと前記第２の暗証コードが同一であるか否かにより前記画像データの出力先装置が前記特定の画像形成装置であるか否かを判別する、
ことを特徴とする請求項４に記載の画像データ配布装置。
【請求項１１】  前記第２の画像データの画像形成結果を前記特定の画像形成装置から受信する第１の画像形成結果受信手段と、
前記画像形成結果を前記管理サーバに送信する第２の画像形成結果送信手段と、
をさらに有することを特徴とする請求項４または１０に記載の画像データ配布装置。
【請求項１２】  画像データの出力要求を画像データ配布装置から受信する画像データ出力要求受信手段と、
前記画像データの出力の許否を判別する画像データ出力許否判別手段と、
前記画像データの出力許否通知を前記画像データ配布装置に送信する画像データ出力許否通知送信手段と、
暗証コードを暗号化して得られた認証コードを前記画像データ配布装置から受信する認証コード受信手段と、
前記認証コードに基づいてユーザ認証を行うユーザ認証手段と、
前記ユーザ認証においてユーザを認証した場合に、前記認証コードを復号化して前記暗証コードを取得する認証コード復号化手段と、
前記暗証コードを前記画像データ配布装置に送信する暗証コード送信装置と、
を有することを特徴とする画像配布システム用管理サーバ。
【請求項１３】  画像データの画像形成結果を前記画像データ配布装置から受信する画像形成結果受信手段と、
画像データを正常に画像形成した場合に、前記認証コードに代えて前記認証コードにかかるユーザの新しい認証コードを発行する認証コード発行手段と、
をさらに有することを特徴とする請求項１２に記載の管理サーバ。
【請求項１４】  暗証コードを暗号化して得られた認証コードを画像データ配布装置から受信する認証コード受信手段と、
前記認証コードを復号化して前記暗証コードを取得する認証コード復号化手段と、
前記暗証コードを前記画像データ配布装置に送信する暗証コード送信手段と、
を有することを特徴とする画像形成装置。
【請求項１５】  画像データの画像形成結果を前記画像データ配布装置に送信する第１の画像形成結果送信手段をさらに有することを特徴とする請求項１４に記載の画像形成装置。
【請求項１６】  第１の暗証コードを暗号化して得られた認証コードの入力を受け付ける手順（９）と、
前記認証コードを前記管理サーバに送信する手順（１０）と、
前記第１の暗証コードを前記管理サーバから受信する手順（１１）と、
前記認証コードを前記画像データの出力先装置に送信する手順（１２）と、
第２の暗証コードを前記画像データの出力先装置から受信する手順（１３）とを画像データ配布装置にさらに実行させるものであり、
手順（６）は、前記第１の暗証コードと前記第２の暗証コードが同一であるか否かにより前記画像データの出力先装置が前記特定の画像形成装置であるか否かを判別する、
ことを特徴とする請求項８に記載の画像配布プログラム。
【請求項１７】  前記第２の画像データの画像形成結果を前記特定の画像形成装置から受信する手順（１４）と、
前記画像形成結果を前記管理サーバに送信する手順（１５）と、
を画像データ配布装置にさらに実行させることを特徴とする請求項８または１６に記載の画像配布プログラム。
【請求項１８】  画像データの出力要求を画像データ配布装置から受信する手順（１）と、
前記画像データの出力の許否を判別する手順（２）と、
前記画像データの出力許否通知を前記画像データ配布装置に送信する手順（３）と、
暗証コードを暗号化して得られた認証コードを前記画像データ配布装置から受信する手順（４）と、
前記認証コードに基づいてユーザ認証を行う手順（５）と、
前記ユーザ認証においてユーザを認証した場合に、前記認証コードを復号化して前記暗証コードを取得する手順（６）と、
前記暗証コードを前記画像データ配布装置に送信する手順（７）と、
を管理サーバに実行させることを特徴とする画像配布プログラム。
【請求項１９】  画像データの画像形成結果を前記画像データ配布装置から受信する手順（８）と、
画像データを正常に画像形成した場合に、前記認証コードに代えて前記認証コードにかかるユーザの新しい認証コードを発行する手順（９）と、
を管理サーバにさらに実行させることを特徴とする請求項１８に記載の画像配布プログラム。
【請求項２０】  暗証コードを暗号化して得られた認証コードを画像データ配布装置から受信する手順（１）と、
前記認証コードを復号化して前記暗証コードを取得する手順（２）と、
前記暗証コードを前記画像データ配布装置に送信する手順（３）と、
を画像形成装置に実行させることを特徴とする画像配布プログラム。
【請求項２１】  画像データの画像形成結果を前記画像データ配布装置に送信する手順（４）を画像形成装置にさらに実行させることを特徴とする請求項２０に記載の画像配布プログラム。
【請求項２２】  請求項１６〜２１のいずれか１つに記載のプログラムを記録したコンピュータ読み取り可能な記録媒体。